(57)【要約】【課題】白色光の輝度均一化と放熱性等の向上を図ることができる光源モジュール、バックライト装置および液晶表示装置を提供する。【解決手段】青、緑及び赤の各色のＬＥＤチップ１２Ｒ，１２Ｇ，１２Ｂと、これらのＬＥＤチップが実装された配線基板１３とを備え、各色のＬＥＤチップは、三角形の各頂点上に位置するように配線基板１３上に配置されている。これにより、各色のＬＥＤチップ間の配置間隔を小さくでき、混色性を高めて輝度の均一化を図ることができる。また、配線パターン１４をＬＥＤチップの色毎に独立して設けることで、放熱性と絶縁耐圧性を向上させることができる。【選択図】図３
2007266590.tif 000002
【特許請求の範囲】
【請求項１】
青、緑及び赤の各色のＬＥＤチップと、
これらのＬＥＤチップが実装された配線基板とを備え、
前記各色のＬＥＤチップは、三角形の各頂点上に位置するように前記配線基板上に配置されている
ことを特徴とする光源モジュール。
【請求項２】
前記各色のＬＥＤチップは、各色間において実質的に等間隔となるように配置されている
ことを特徴とする請求項１に記載の光源モジュール。
【請求項３】
前記配線基板は、前記各色のＬＥＤチップに対応して色毎に相互に独立して形成された放熱層兼配線パターンを備えている
ことを特徴とする請求項１に記載の光源モジュール。
【請求項４】
前記各放熱層兼配線パターンは、互いに間隔をあけて平行に形成されている
ことを特徴とする請求項３に記載の光源モジュール。
【請求項５】
前記放熱層兼配線パターン上には、前記各色のＬＥＤチップからなる組が一定間隔で複数組実装されている
ことを特徴とする請求項３に記載の光源モジュール。
【請求項６】
前記各色のＬＥＤチップの間隔は、隣接する２組のＬＥＤチップ群の間隔の１／４以下である
ことを特徴とする請求項５に記載の光源モジュール。
【請求項７】
前記各色のＬＥＤチップのうち少なくとも１色が複数のＬＥＤチップで構成されている
ことを特徴とする請求項１に記載の光源モジュール。
【請求項８】
前記各色のＬＥＤチップのうち１色が複数のＬＥＤチップで構成されているとともに、他の２色が単数のＬＥＤチップで構成されており、当該他の２色のＬＥＤチップについては、各々の実装位置が一定周期で相互に入れ替えられている
ことを特徴とする請求項５に記載の光源モジュール。
【請求項９】
前記配線基板上には、前記各色のＬＥＤチップを共通に被覆するレンズ層が設けられている
ことを特徴とする請求項１に記載の光源モジュール。
【請求項１０】
青、緑及び赤の各色のＬＥＤチップと、これらＬＥＤチップが実装された配線基板とを備えた光源モジュールを複数組み合わせてなり、
前記各色のＬＥＤチップは、三角形の各頂点上に位置するように前記配線基板上に配置されている
ことを特徴とするバックライト装置。
【請求項１１】
液晶表示パネルと、この液晶表示パネルを背面側から照明するバックライトユニットとを備え、
前記バックライトユニットは、
青、緑及び赤の各色のＬＥＤチップと、これらのＬＥＤチップが実装された配線基板とを備えた光源モジュールを複数組み合わせてなり、
前記各色のＬＥＤチップは、三角形の各頂点上に位置するように前記配線基板上に配置されている
ことを特徴とする液晶表示装置。
【請求項１２】
液晶表示パネルと前記バックライトユニットの間に、拡散板が配置されている
ことを特徴とする請求項１１に記載の液晶表示装置。
【発明の詳細な説明】
【技術分野】
【０００１】
本発明は、発光ダイオード（ＬＥＤ：Light Emitting Diode）を光源とする光源モジュール、バックライト装置および液晶表示装置に関する。
【背景技術】
【０００２】
液晶表示装置（ＬＣＤ：Liquid Crystal Display）は、ブラウン管（ＣＲＴ：Cathode Ray tube）と比較して低消費電力であり、小型化、薄型化が可能で、現在では携帯電話、デジタルカメラ、ＰＤＡ（Personal Digital Assistants）等の小型機器から大型サイズの液晶テレビに至るまで、様々なサイズのものが幅広く使用されている。
【０００３】
液晶表示装置は、透過型、反射型等に分類され、特に透過型液晶表示装置は、液晶層を一対の透明基板で挟み込んだ液晶表示パネルのほか、照明光源としてバックライトユニットを備えている。バックライトユニットは、光源を液晶表示パネルの直下に配置する直下型のほか、エッジライト型がある。いわゆる薄型テレビとして知られている大画面の液晶テレビには、直下型のバックライトユニットが広く用いられている。
【０００４】
バックライトユニットに用いられる光源には、従来より、冷陰極管（ＣＣＦＬ：Cold Cathode Fluorescent Lamp）が広く用いられている。近年では、表示色の再現性をより高めるため、光源にＲ（赤色）、Ｇ（緑色）、Ｂ（青色）３原色の発光ダイオード（ＬＥＤ）を使用したＬＥＤバックライトが使用されている。直下型のＬＥＤバックライトユニットにおいては、ＲＧＢ各色のＬＥＤを面内に二次元的に配列して白色光を得るように構成されたものがある。
【０００５】
例えば特許文献１には、図１４に示すように、ＲＧＢ各色のＬＥＤ素子４０Ｒ，４０Ｇ，４０Ｂを所定の順序で配線基板４１上に同一軸線上に複数配列させた光源モジュール４２が開示されており、この光源モジュール４２を二次元的に複数組み合わせて面光源を構成したバックライト装置が開示されている。このバックライト装置は、各色のＬＥＤを発光、混色させることで得られた白色光で液晶表示パネルをその背面側から照明するように構成されている。
【０００６】
【特許文献１】特開２００５−３５２４２７号公報
【発明の開示】
【発明が解決しようとする課題】
【０００７】
しかしながら、特許文献１に記載のバックライト装置においては、各色のＬＥＤ素子が一列に配列された構成であるため、各色間のＬＥＤ素子の間隔は一定ではなく、従って、各色を混色して得られる白色光の輝度ムラが比較的大きいという問題がある。
【０００８】
また、特許文献１に記載のバックライト装置においては、各色のＬＥＤ素子がパッケージングされた又は配線基板上にサブマウントされたランプ構造となっているため、各色のＬＥＤ素子を互いに近接して配置することが困難であり、輝度の均一化が困難であるという問題がある。
【０００９】
さらに、特許文献１に記載のバックライト装置においては、各色のＬＥＤ素子が一列に配列された構成であるため、素子の配置間隔を狭くすると配線基板上のパターンエリアが少なくなり、ＬＥＤ素子の放熱性および絶縁耐圧が低下するという問題がある。
【００１０】
本発明は上述の問題に鑑みてなされ、輝度の均一化とＬＥＤ素子の放熱性および絶縁耐圧の向上を図ることができる光源モジュール、バックライト装置および液晶表示装置を提供することを課題とする。
【課題を解決するための手段】
【００１１】
以上の課題を解決するに当たり、本発明の光源モジュールは、青、緑及び赤の各色のＬＥＤチップと、これらのＬＥＤチップが実装された配線基板とを備え、各色のＬＥＤチップは、三角形の各頂点上に位置するように配線基板上に配置されていることを特徴とする。
【００１２】
本発明の光源モジュールにおいては、ＬＥＤ素子として発光ダイオードのベアチップ（ＬＥＤチップ）を用いているので、各色のＬＥＤ間の配置間隔を小さくでき、色差を抑制して輝度の均一性を高めることができる。また、各色のＬＥＤチップは、三角形の各頂点上に位置するように配線基板上に配置されているので、ＲＧＢ各色光の混色性を高めて均一な白色光を得ることが可能となる。
【００１３】
各色のＬＥＤチップは、好適には、各色のチップ間の間隔が実質的に等間隔となるように配置される。これにより、ＲＧＢ各色光の混色性が更に高められ、白色光のより一層の均一化が図れるようになる。
【００１４】
また、本発明の光源モジュールにおいては、配線基板は、各ＬＥＤチップに対応して色毎に相互に独立して形成された放熱層兼配線パターンを備えている。配線パターンをＬＥＤチップの色毎に独立して設けることで、放熱性と絶縁耐圧性が向上するとともに、各ＬＥＤチップの配置レイアウトの自由度を高めることができる。これらの各配線パターンは互いに間隔をあけて平行に形成することができる。
【００１５】
更に、上述の配線パターン上に、互いに三角形を構成する各色のＬＥＤチップ群が一定間隔で複数組隣接して実装される。従って、このような構成の光源モジュールを複数２次元的に組み合わせることで白色光の面状光源を得ることができ、液晶表示装置用のバックライトユニットとして好適に用いることが可能となる。
【００１６】
ここで、各色のＬＥＤチップのうち少なくとも１色は複数のＬＥＤチップで構成されていてもよく、この場合、色域の拡張または輝度の補足が可能となる。また、各色のＬＥＤチップのうち１色が複数のＬＥＤチップで構成され、他の２色が単数のＬＥＤチップで構成されている場合、当該他の２色のＬＥＤチップについては各々の実装位置を一定周期で相互に入れ替えることで、光学的な均一性を確保することが可能となる。
【発明の効果】
【００１７】
以上述べたように、本発明によれば、白色光の輝度均一化と放熱性、絶縁耐圧性の向上とを図ることができる。これにより、液晶表示装置用のバックライト装置として好適な面状光源を構成することができる。
【発明を実施するための最良の形態】
【００１８】
以下、本発明の実施形態について図面を参照して説明する。
【００１９】
図１は本発明の実施形態による液晶表示装置１の概略構成を示す側断面図である。図１に示す液晶表示装置１は、液晶表示パネル２と、この液晶表示パネル２の背面側（図１において下面側）に配置され、この液晶表示パネル２の背面側を照明するバックライト装置７とを備えている。
【００２０】
バックライト装置７は、光源に発光ダイオード（ＬＥＤ）が用いられた直下型のバックライトユニット３を有し、このバックライトユニット３の光出射面側に拡散板４、輝度向上シート５、偏光分離素子６とが適宜組み合わされて配置されることで構成されている。
【００２１】
液晶表示パネル２は、液晶層を挟んで対向する一対の透明基板と、これらの透明基板の外面側に各々配置された一対の偏光板等を備えている。なお、必要に応じて、透明基板と偏光板との間に位相差板等の光学補償フィルムが配置される。液晶層の構成は特に限定されず、誘電異方性が正で電界印加時に分子長軸が電界方向と略平行に配向される液晶材料や、誘電異方性が負で電界印加時に分子長軸が電界方向と略直交する垂直配向型液晶材料が用いられる。透明基板の内面側には透明電極膜、配向膜、カラーフィルタ等が設けられている。
【００２２】
拡散板４は、光源光を所定の角度範囲で拡散出射する機能を有する。輝度向上シート５は例えばプリズムシートで構成され、拡散板４で拡散出射された光源光を集光し、偏光分離素子６に入射させる機能を有する。偏光分離素子６は、入射光に含まれる一定の直線偏光成分（例えばＰ偏光成分）を透過させ他の直線偏光成分（例えばＳ偏光成分）を反射する。これにより、一定の偏光光のみが液晶表示パネル２へ入射される。
【００２３】
偏光分離素子６から出射した偏光は、液晶表示パネル２において、その偏光方向と平行な透過軸を有する偏光板を介して液晶層へ入射する。液晶層を構成する液晶分子は、画素領域毎に電圧駆動されることで配向制御され、入射偏光光に旋光性を与える。その結果、カラーフィルタを透過し、液晶表示パネル２の前面側の偏光板を透過する光と透過しない光とが画素毎に制御されることで、液晶表示パネル２の前面にカラー画像を形成する。
【００２４】
次に、バックライトユニット３の構成の詳細について説明する。
【００２５】
図２はバックライトユニット３の概略平面図である。バックライトユニット３は、反射性の側壁を有する筐体１０の内部に、後述する光源モジュール１１を複数組み合わせて構成されている。本実施形態において、筐体１０は平面視長方形状であり、この筐体１０の内部に光源モジュール１１が１０行５列、計５０個配置されている。
【００２６】
図３は光源モジュール１１の概略平面図である。光源モジュール１１は、赤色ＬＥＤチップ１２Ｒ、緑色ＬＥＤチップ１２Ｇ及び青色ＬＥＤチップ１２Ｂと、各色のＬＥＤチップ１２Ｒ，１２Ｇ，１２Ｂが実装される長方形状の配線基板１３とで構成されている。光源モジュール１１は、各色のＬＥＤチップからなる組（以下「ＬＥＤチップ群１２」という。）が一定間隔Ｐ１で、配線基板１３の長手方向に沿って複数組実装されている。
【００２７】
図４Ａは、ＬＥＤチップ群１２の配置例を示す図である。各色のＬＥＤチップは、それぞれ三角形の各頂点上に位置するように配線基板１３上に実装されている。本実施形態では、ＬＥＤチップ１２Ｒと１２Ｇ間、ＬＥＤチップ１２Ｇと１２Ｂ間およびＬＥＤチップ１２Ｂと１２Ｒ間がそれぞれ実質的に等間隔となるように配置されている。具体的に、図４Ａに示すように、ＲＧＢ各色のＬＥＤチップ１２Ｒ，１２Ｇ，１２Ｂで正三角形を構成することで、各色のチップ間隔Ｐ２がそれぞれ等しくされている。
【００２８】
なお、図４Ｂは、１つの赤色ＬＥＤチップ１２Ｒと２つの緑色ＬＥＤチップ１２Ｇと１つの青色ＬＥＤチップ１２Ｂとにより、一組のＬＥＤチップ群１２Ｍが構成される場合の各チップの配置例を示している。図示の例では、一組のＬＥＤチップ群１２Ｍにおいて、ＲＧＢ各色間のＬＥＤチップ１２Ｒ，１２Ｇ，１２Ｂはそれぞれ正三角形を構成し、各色のチップ間隔Ｐ２が等しくされている。
【００２９】
ＬＥＤチップ群１２（ＬＥＤチップ群１２Ｍを含む。以下同じ）を構成する各色のＬＥＤチップ１２Ｒ，１２Ｇ，１２Ｂは、配線基板１３上に形成された配線パターン１４に、フリップチップ実装法によって電気的に接続されている。配線パターン１４は、各ＬＥＤチップに対応して色毎に相互に独立して形成された３本の配線パターン１４Ｒ，１４Ｇ，１４Ｂからなる。すなわち、配線パターン１４Ｒには赤色ＬＥＤチップ１２Ｒが実装され、配線パターン１４Ｇには緑色ＬＥＤチップ１２Ｇが実装され、配線パターン１４Ｂには青色ＬＥＤチップ１２Ｂが実装されている。
【００３０】
本実施形態において、各配線パターン１４Ｒ，１４Ｇ，１４Ｂは互いに間隔をあけて平行に形成されている。各配線パターン１４Ｒ，１４Ｇ，１４Ｂは、ＬＥＤチップ１２Ｒ，１２Ｇ，１２Ｂに対する電流の入出力端子としての機能のほか、各ＬＥＤチップの動作時に発生する熱を外部へ逃がすための放熱層としても機能する。すなわち、この配線パターン１４は、本発明に係る「放熱層兼配線パターン」として構成されている。
【００３１】
配線パターン１４上には、各組のＬＥＤチップ群１２がそれぞれ一定の間隔Ｐ１をあけて実装されている（図３）。本実施形態では、１つの光源モジュール１１あたり、４組のＬＥＤチップ群１２が実装されている。従って、バックライトユニット３は、計２００組のＬＥＤチップ群で構成されている。
なお、光源モジュール１１の配置数、ＬＥＤチップ群１２の実装数は上記の例に限られないことは勿論であり、液晶表示パネルの大きさや要求される輝度特性（発光特性）等に応じて適宜決定される。
【００３２】
バックライトユニット３を構成する各光源モジュール１１のＬＥＤチップ群１２は、図５に示すように、隣接する左右および上下方向の他のＬＥＤチップ群１２との間隔がともにＰ１となるように配置されている。
【００３３】
また図５に示すように、本実施形態では、各ＬＥＤチップ群１２には、これらを構成する３つのＬＥＤチップ１２Ｒ，１２Ｇ，１２Ｂを共通に被覆するレンズ層１５がそれぞれ形成されている。レンズ層１５は透明な合成樹脂あるいはガラス材料からなり、表面に所定の曲率で形成されたレンズ面を有し、各ＬＥＤチップの保護層として機能するとともに各ＬＥＤチップから出射される光を集光する機能を有している。
【００３４】
以上のように構成される本実施形態においては、バックライトユニット３から出射した各ＬＥＤチップ群１２の光は、ＲＧＢ３色が混色された白色光として拡散板４、輝度向上シート５および偏光分離素子６を介して液晶表示パネル２へ入射される。液晶表示パネル２に入射した光源光は、液晶表示パネル２において画素領域毎に変調されて、パネル前面に所定のカラー画像を形成する。
【００３５】
本実施形態によれば、光源モジュール１１に実装されるＬＥＤ素子として発光ダイオードのベアチップ（ＬＥＤチップ）を用いているので、各色のＬＥＤチップ１２Ｒ，１２Ｇ，１２Ｂ間の配置間隔を小さくでき、色差を抑制して輝度の均一性を高めることができる。
【００３６】
図６は、本発明者らが行った一実験結果を示すＬＥＤチップ群１２の光学特性の一例を示している。図６において、横軸はＬＥＤチップ群１２を構成する各色のＬＥＤチップの配置間隔（ピッチ）Ｐ２を示しており、縦軸は色差（Δｕ’ｖ’）の最大値を示している。このときの各ＬＥＤチップ群１２間の間隔（Ｐ１）は３０ｍｍである。
【００３７】
図６から明らかなように、各色のＬＥＤチップのピッチＰ２が小さいほど、色差を抑えることができることがわかる。また、好ましくは、チップ間隔Ｐ２をＬＥＤチップ群の間隔Ｐ１の１／４以下、更に好ましくは、１／８以下とすることで、色差の抑制効果を一層高めることが可能となる。
【００３８】
また、本実施形態によれば、各色のＬＥＤチップを三角形の各頂点を構成するようにそれぞれ配置しているので、ＬＥＤチップ群１２の実装領域の低面積化を図ることができ、光源モジュール１１上に高密度にＬＥＤチップを配置することができる。これにより、ＲＧＢ各色のＬＥＤチップの混色性を高めて均一な白色光を得ることが可能となる。
【００３９】
一方、本実施形態の光源モジュール１１においては、各色のＬＥＤチップ１２Ｒ，１２Ｇ，１２Ｂが、これらに対応するように相互に独立して配線基板１３上に形成された配線パターン１４Ｒ，１４Ｇ，１４Ｂにそれぞれ実装されている。従って、各色のＬＥＤチップを配線パターン上に色毎に独立して実装可能となり、ＬＥＤチップの発光特性が色毎に制御可能となるとともに、放熱性と絶縁耐圧性を向上させることができる。
【００４０】
また、配線基板１３上にＲＧＢ各色のＬＥＤチップからなるＬＥＤチップ群１２を一定の間隔Ｐ１をおいて配置した光源モジュール１１を、面内において複数組み合わせてバックライトユニット３を構成するようにしているので、発光輝度の均一性に優れたバックライト装置を容易に構成することができる。
【００４１】
図７は、バックライトユニット３の側壁近傍を示す要部拡大図である。バックライトユニット３の鏡面状の側壁内面３ａと当該側壁内面３ａに最も近接して配置されるＬＥＤチップ群１２との間の距離Ｐ３は、光源モジュール１１の配線基板１３上に実装される各ＬＥＤチップ群１２の間隔Ｐ１と関連させて決定されることで、図８に示すように、バックライトユニット３の面内輝度分布を調整することができる。
【００４２】
図８は、上記Ｐ３の大きさを変えて、バックライト装置の面内輝度分布を評価した一実験結果を示している。実験では、図７に示したように、バックライトユニット３の光出射面に拡散板４を配置して面内輝度分布を測定した。図８において、横軸はバックライトユニット３の側壁内面３ａからの距離を示し、縦軸はバックライトユニット３の中心付近の輝度を１としたときの相対輝度を示している。
【００４３】
図８から明らかなように、側壁内面３ａと最側端に位置するＬＥＤチップ群１２との間の距離Ｐ３が、ＬＥＤチップ群１２の配置間隔Ｐ１の１／２の大きさに相当するときに、バックライトユニットの中心部から周辺部にわたってフラットな輝度分布が得られることがわかる。なお、実際の使用においては、Ｐ３＝（Ｐ１／２）の条件のみならず、Ｐ３＝（Ｐ１／２）±５ｍｍ、（Ｐ１／２）＋１０ｍｍ、（Ｐ１／２）＋１５ｍｍ及び（Ｐ１／２）＋２０ｍｍの各条件においても、拡散板や輝度向上シート等の光学素子を適宜組み合わせることで、良好な輝度分布特性が得られることが確認されている。
【００４４】
以上、本発明の実施形態について説明したが、勿論、本発明はこれに限定されることはなく、本発明の技術的思想に基づいて種々の変形が可能である。
【００４５】
例えば以上の実施形態では、光源モジュール１１の配線基板上に形成される配線パターン１４を直線的に形成したが、これに代えて、例えば図９に示すように、配線パターン１４を屈曲させながら形成することも可能である。この場合、配線パターン１４の形成面積を高くできるので、ＬＥＤチップ１２Ｒ，１２Ｇ，１２Ｂの放熱性を更に高めることができる。
【００４６】
また、各色のＬＥＤチップをそれぞれ単数で構成する例に限られず、少なくとも１色のＬＥＤチップが複数個配置される構成を採用することも可能である。例えば図４Ｂに示したように、緑色のＬＥＤチップ１２Ｇを２個配置し、合計４個のＬＥＤチップを四角形の各頂点上に配置して１つのＬＥＤチップ群１２Ｍを構成することにより、輝度を補足することが可能となる。また、図１０に示すように、互いに発光帯域が異なる２個の緑色のＬＥＤチップ１２Ｇ，１２Ｇ’を用いたＬＥＤチップ群１２Ｎを構成してもよく、この場合、光源光の色域の拡張を図ることが可能となる。
【００４７】
一方、図１１Ａ，Ｂは、赤色のＬＥＤチップ１２Ｒを１個、青色及び緑色のＬＥＤチップ１２Ｂ，１２Ｇをそれぞれ２個用いて構成されたＬＥＤチップ群１２Ｔを示している。ＬＥＤチップ群１２Ｔは計５個のＬＥＤチップで構成されており、赤色のＬＥＤチップ１２Ｒを中心として他の２色のＬＥＤチップを四角形の各頂点上に配置されている。
【００４８】
なお、特定の色が複数のＬＥＤチップで構成される場合にも、図１０及び図１１に示したように、これらを構成するＬＥＤチップが色間で個々に三角形の各頂点上に配置される。好適には、ＬＥＤのチップ間隔は、各色間で実質的に同一となるように配置される。
【００４９】
また、ＬＥＤチップ群のうち１色のＬＥＤチップが複数で構成され、他の２色のＬＥＤチップが単数で構成される場合、当該他の２色のＬＥＤチップについては、各々の実装位置が一定周期で相互に入れ替えられているのが好ましい。これにより、輝度、混色性などの光学的な均一性を確保することができる。
【００５０】
例えば、緑色のみ２個のＬＥＤチップで構成されるＬＥＤチップ群１２Ｍにおいては、赤色及び青色のＬＥＤチップの実装位置が一定周期で交互に入れ替えられる。図１２は、同一配線基板１３上にＬＥＤチップ群１２Ｍが複数組実装された光源モジュールあって、上段側に位置するＬＥＤチップ群１２Ｍと下段側に位置するＬＥＤチップ群１２Ｍとが、赤色及び青色に関して各々のＬＥＤチップ１２Ｂ，１２Ｒの実装位置を相互に異ならせた例を示している。また、光源モジュールを複数組み合わせてバックライト装置を構成する場合には、図１３に示すように、赤色及び青色のＬＥＤチップ１２Ｂ，１２Ｒの実装位置を相互に異ならせた光源モジュールを交互に配置することで、同様な効果を得ることができる。
【図面の簡単な説明】
【００５１】
【図１】本発明の実施形態による液晶表示装置の概略構成を示す断面図である。
【図２】本発明の実施形態によるバックライトユニットの概略平面図である。
【図３】本発明の実施形態による光源モジュールの概略平面図である。
【図４】各色のＬＥＤチップの配置例を示す平面図である。
【図５】ＬＥＤチップ群の配置間隔Ｐ１と各色のチップ間隔Ｐ２とを示す平面図である。
【図６】チップ間隔Ｐ２の大きさと色差との関係を示す一実験結果を示す図である。
【図７】バックライトユニットの側壁近傍を示す要部拡大図である。
【図８】バックライト装置の面内輝度分布の一例を示す図である。
【図９】光源モジュールの構成の変形例を示す概略平面図である。
【図１０】ＬＥＤチップ群の構成の変形例を示す概略平面図である。
【図１１】ＬＥＤチップ群の構成の他の変形例を示す概略平面図である。
【図１２】光源モジュールの構成の他の変形例を示す概略平面図である。
【図１３】バックライト装置の構成の他の変形例を示す概略平面図である。
【図１４】従来の光源モジュールの構成を示す斜視図である。
【符号の説明】
【００５２】
１…液晶表示装置、２…液晶表示パネル、３…バックライトユニット、４…拡散板、５…輝度向上シート、６…偏光分離素子、７…バックライト装置、１０…筺体、１１…光源モジュール、１２，１２Ｍ，１２Ｎ，１２Ｔ…ＬＥＤチップ群、１２Ｒ，１２Ｇ，１２Ｇ’，１２Ｂ…ＬＥＤチップ、１３…配線基板、１４…配線パターン、Ｐ１…ＬＥＤチップ群の配置間隔、Ｐ２…各色のＬＥＤチップの配置間隔、Ｐ３…バックライトユニットの側壁内面と当該側壁内面に最も近接して配置されるＬＥＤチップ群との間の距離
【図１】
2007266590.tif 000003
【図２】
2007266590.tif 000004
【図３】
2007266590.tif 000005
【図４】
2007266590.tif 000006
【図５】
2007266590.tif 000007
【図６】
2007266590.tif 000008
【図７】
2007266590.tif 000009
【図８】
2007266590.tif 000010
【図９】
2007266590.tif 000011
【図１０】
2007266590.tif 000012
【図１１】
2007266590.tif 000013
【図１２】
2007266590.tif 000014
【図１３】
2007266590.tif 000015
【図１４】
2007266590.tif 000016